(57)【特許請求の範囲】
【請求項１】
雄側の接続半部に設けられた雄型接続具と雌側の接続半部に設けられた雌型接続具とにそれぞれ水中ケーブルが接続され、雄側の接続半部と雌側の接続半部とが締付具によって連結される水中ケーブル用コネクタにおいて、雄側の接続半部と雌側の接続半部とは雄型接続具から水中ケーブルへの接続部分および雌型接続具から水中ケーブルへの接続部分が防水性の可塑性材料がモールドされて固化されたモールド部で覆われ、
前記雄側の接続半部にはモールド部と一体的に組付けられて締付具が螺合する硬質材のネジ筒が設けられ、前記雌側の接続半部にはモールド部と一体的に組付けられて締付具が嵌合される硬質材のカバー筒が設けられ、
前記ネジ筒は、段付きの円筒形に形成されてモールド部の水中ケーブルの反対側に一体的に組付けられ、前記ネジ筒の水中ケーブル側の端部には、前記雄型接続具のピン部の基端に連続的に設けられた大径部から水中ケーブルの露出された電線及び内皮までを外側から覆うようにモールド部の内部に突出すると共に相対的に径を小さくした保護筒部が設けられ、ネジ筒の水中ケーブルと反対側の端部には、前記保護筒部と連続してモールドの外径と同一の外径の筒本体部が設けられていることを特徴とする水中ケーブル用コネクタ。
【請求項２】
請求項１の水中ケーブル用コネクタにおいて、前記筒本体部の内部には、雌側の接続半部の一部が差込み嵌合される差込空間が設けられ、該差込空間の中途部には、雌側の接続半部が係止する段部が設けられ、差込空間の開放端部には、内周面に締付具が螺合される雌ネジが設けられていることを特徴とする水中ケーブル用コネクタ。
【請求項３】
請求項１又は２の水中ケーブル用コネクタにおいて、雄側の接続半部と雌側の接続半部とのモールド部は弾性を有していることを特徴とする水中ケーブル用コネクタ。
【請求項４】
請求項１〜３のいずれかの水中ケーブル用コネクタにおいて、前記締付具はリング形の締付ネジからなり、前記ネジ筒に螺合された前記締付具の外端には、リングカップ形の締付具カバーが被せられていることを特徴とする水中ケーブル用コネクタ。
【請求項５】
請求項１〜４のいずれかの水中ケーブル用コネクタにおいて、雄側の接続半部と雌側の接続半部との一方は集魚灯等の端末機器に固定されていることを特徴とする水中ケーブル用コネクタ。
【請求項６】
請求項５の水中ケーブル用コネクタにおいて、雄側の接続半部と雌側の接続半部との一方のモールド部は集魚灯等の端末機器の一部に一体的にモールドされていることを特徴とする水中ケーブル用コネクタ。
【発明の詳細な説明】
【技術分野】
【０００１】
本発明は、水中に投入される集魚灯等の端末機器を吊持するとともに電気的配線する水中ケーブルを接続する水中ケーブル用コネクタに係る技術分野に属する。
【背景技術】
【０００２】
最近、水中ケーブルでは、集魚灯等に近接した箇所に防水構造を備えたコネクタを取付けることが行われている。この水中ケーブル用コネクタは、集魚灯等と水中ケーブルとを防水遮断することで、集魚灯等の損傷による水中ケーブルへの水の浸入と、水中ケーブルの損傷による集魚灯等への水の浸入とを防止するものである。
【０００３】
従来、水中ケーブル用コネクタとしては、例えば、以下に記載のものが知られている。
【特許文献１】実開平５−９７０７１号公報
【０００４】
特許文献１には、雄側の接続半部に設けられた雄型接続具と雌側の接続半部に設けられた雌型接続具とにそれぞれ水中ケーブルが接続され、雄側の接続半部と雌側の接続半部とが締付具によって連結される水中ケーブル用コネクタが記載されている。
【０００５】
特許文献１に係る水中ケーブル用コネクタは、締付具によって雄側の接続半部と雌側の接続半部とを緊密に連結することで、雄側の接続半部と雌側の接続半部との接続部分を防水遮断するものである。
【発明の開示】
【発明が解決しようとする課題】
【０００６】
特許文献１に係る水中ケーブル用コネクタでは、雄側の接続半部と水中ケーブルとの間および雌側の接続半部と水中ケーブルとの間がガスケットで防水されているものの、防水性能が低く雄型接続具と水中ケーブルとの接続部分および雌型接続具と水中ケーブルとの接続部分に水が浸入しやすいという問題点がある。
【０００７】
本発明は、このような問題点を考慮してなされたもので、雄側の接続半部と水中ケーブルとの間および雌側の接続半部と水中ケーブルとの防水性能を高めることのできる水中ケーブル用コネクタを提供することを課題とする。
【課題を解決するための手段】
【０００８】
前述の課題を解決するため、本発明に係る水中ケーブル用コネクタは、特許請求の範囲の各請求項に記載の手段を採用する。
【０００９】
即ち、請求項１では、雄側の接続半部に設けられた雄型接続具と雌側の接続半部に設けられた雌型接続具とにそれぞれ水中ケーブルが接続され、雄側の接続半部と雌側の接続半部とが締付具によって連結される水中ケーブル用コネクタにおいて、雄側の接続半部と雌側の接続半部とは雄型接続具から水中ケーブルへの接続部分および雌型接続具から水中ケーブルへの接続部分が防水性の可塑性材料がモールドされて固化されたモールド部で覆われていることを特徴とする。
【００１０】
この手段では、防水性の可塑性材料を使用したモールド技術を利用することで、雄側の接続半部の雄型接続具から水中ケーブルへの接続部分および雌側の接続半部の雌型接続具から水中ケーブルへの接続部分が精密にモールド部で覆われる。
【００１１】
また、請求項２では、請求項１の水中ケーブル用コネクタにおいて、雄側の接続半部と雌側の接続半部とのモールド部は弾性を有していることを特徴とする。
【００１２】
この手段では、雄側の接続半部と雌側の接続半部とのモールド部が弾性を有することで、外部から掛かる衝撃をモールド部の弾性変形で吸収することができる。
【００１３】
また、請求項３では、請求項２の水中ケーブル用コネクタにおいて、締付具はリング形の締付ネジからなり、雄側の接続半部と雌側の接続半部との一方にはモールド部と一体的に組付けられて締付具が螺合する硬質材のネジ筒が設けられ、雄側の接続半部と雌側の接続半部との他方にはモールド部と一体的に組付けられて締付具が嵌合される硬質材のカバー筒が設けられていることを特徴とする。
【００１４】
この手段では、リング形の付ネジからなる締付具が雄側の接続半部と雌側の接続半部との他方に設けられら硬質材のカバー筒の嵌合され一方に設けられた硬質材のネジ筒に螺合されることで、締付具の締付力がモールド部の弾性によって減殺されなくなる。
【００１５】
また、請求項４では、請求項１〜３のいずれかの水中ケーブル用コネクタにおいて、雄側の接続半部と雌側の接続半部との一方は集魚灯等の端末機器に固定されていることを特徴とする。
【００１６】
この手段では、雄側の接続半部と雌側の接続半部との一方が集魚灯等の端末機器に固定されることで、雄側の接続半部と雌側の接続半部との一方が集魚灯等の端末機器と一体化される。
【００１７】
また、請求項５では、請求項４の水中ケーブル用コネクタにおいて、雄側の接続半部と雌側の接続半部との一方のモールド部は集魚灯等の端末機器の一部に一体的にモールドされていることを特徴とする。
【００１８】
この手段では、雄側の接続半部と雌側の接続半部との一方のモールド部が集魚灯等の端末機器の一部に一体的にモールドされることで、雄側の接続半部と雌側の接続半部との一方が集魚灯等の端末機器に完全に一体化される。
【発明の効果】
【００１９】
本発明に係る水中ケーブル用コネクタは、防水性の可塑性材料を使用したモールド技術を利用することで、雄側の接続半部の雄型接続具から水中ケーブルへの接続部分および雌側の接続半部の雌型接続具から水中ケーブルへの接続部分が精密にモールド部で覆われるため、雄側の接続半部と水中ケーブルとの間および雌側の接続半部と水中ケーブルとの防水性能が高くなる効果がある。
【００２０】
さらに、請求項２として、雄側の接続半部と雌側の接続半部とのモールド部が弾性を有することで、外部から掛かる衝撃をモールド部の弾性変形で吸収することができるため、雄型接続具，雌型接続具の接続を外部から掛かる衝撃から保護することができる効果がある。
【００２１】
さらに、請求項３として、リング形の締付ネジからなる締付具が雄側の接続半部と雌側の接続半部との他方に設けられた硬質材のカバー筒の嵌合され、一方に設けられた硬質材のネジ筒に螺合されることで、締付具の締付力がモールド部の弾性によって減殺されなくなるため、雄側の接続半部と雌側の接続半部とを緊密に連結することができる効果がある。
【００２２】
さらに、請求項４として、雄側の接続半部と雌側の接続半部との一方が集魚灯等の端末機器に固定されることで、雄側の接続半部と雌側の接続半部との一方が集魚灯等の端末機器と一体化されるため、集魚灯等の端末機器側の水中ケーブルの露出が避けられて損傷が低減される効果がある。
【００２３】
さらに、請求項５として、雄側の接続半部と雌側の接続半部との一方のモールド部が集魚灯等の端末機器の一部に一体的にモールドされることで、雄側の接続半部と雌側の接続半部との一方がモールド部を共有して集魚灯等の端末機器に完全に一体化されるため、雄側の接続半部と雌側の接続半部との一方と集魚灯等の端末機器との固定強度が強固になる効果がある。
【発明を実施するための最良の形態】
【００２４】
以下、本発明に係る水中ケーブル用コネクタを実施するための最良の形態を図面に基づいて説明する。
【００２５】
この形態では、内皮Ｃａ，Ｃｂ付きの２線の電線Ｃｃ，Ｃｄが共通の外皮Ｃｅに被覆された水中ケーブルＣに使用されるものを示している。
【００２６】
この形態は、図１，図２に示すように、雄型接続具１，雄側の接続半部２，雌型接続具３，雌側の接続半部４，締付具５を主要部として構成されている。
【００２７】
雄型接続具１は、導電性が良好で耐腐食性のある材質（加工処理）からなるもの（例えば黄銅にニッケルメッキを施したもの）で、突出端が丸頭とされた２本の平行な丸棒のピン部１１と、ピン部１１の基端に連続的に設けられ径が相対的に大きくされた大径部１２とからなる。大径部１２には、水中ケーブルＣから露出された電線Ｃｃ，Ｃｄが接続される。
【００２８】
この雄型接続具１には、ピン部１１に貫通させて大径部１２のピン部１１側の端面に当接されるシート材６が取付けられる。シート材６は、クッション性が良好で防水性の高いゴム材等で円柱形に形成されている。
【００２９】
雄側の接続半部２は、モールド部２１，ネジ筒２２からなる。
【００３０】
雄側の接続半部２のモールド部２１は、防水性を有する可塑材料（例えば、クロロプレンゴム）がモールドされて固化されたもので、雄型接続具１の大径部１２から水中ケーブルＣの露出された電線Ｃｃ，Ｃｄ，内皮Ｃａ，Ｃｂ，外皮Ｃｅの一部までを弾性を有して覆っている。モールド部２１の水中ケーブルＣへのモールドの端部は、水中での抵抗を減少させるテーパ形に形成されている。
【００３１】
雄側の接続半部２のネジ筒２２は、硬質の耐腐食性のある材質（加工処理）からなるもの（例えば、真鍮にニッケルメッキを施したもの）で、段付きの円筒形に形成されてモールド部２１の水中ケーブルＣの反対側に一体的に組付けられている。ネジ筒２２の水中ケーブルＣ側の端部には、雄型接続具１の大径部１２から水中ケーブルＣの露出された電線Ｃｃ，Ｃｄ，内皮Ｃａ，Ｃｂまでを外側から覆うようにモールド部２１の内部に突出されて相対的に径が小さくされた保護筒部２２ａが設けられている。保護筒部２２ａは、モールド部２１の内部に突出してモールド部２１との一体化に寄与する。ネジ筒２２の水中ケーブルＣと反対側の端部には、保護筒部２２ａと連続してモールド２１の外径と同一の外径の筒本体部２２ｂが設けられている。筒本体部２２ｂの内部には、雌側の接続半部４の一部が差込み嵌合される差込空間２２ｃが設けられている。差込空間２２ｃの保護筒部２２ａ寄りには、シート材６を抜止め取付けする環状の抜止部２２ｄが設けられている。差込空間２２ｃの中途部には、雌側の接続半部４が係止する段部２２ｅが設けられている。差込空間２２ｃの開放端部には、内周面に締付具５が螺合される雌ネジ２２ｆが設けられている。差込空間２２ｃの中途部の段部２２ｅ，雌ネジ２２ｆの間の内周面には、軸方向へ延びた係合溝２２ｇが設けられている。
【００３２】
雌型接続具３は、電性が良好で耐腐食性のある材質（加工処理）からなるもの（例えば黄銅にニッケルメッキを施したもの）で、先端が拡開されたテーパ筒部３１と、テーパ部３１に連続して設けられ軸方向に同一の径とされ雄型接続具１のピン部１１が挿通嵌合される直筒部３２とからなる。直筒部３２には、水中ケーブルＣから露出された電線Ｃｃ，Ｃｄが接続される。
【００３３】
雌側の接続半部４は、モールド部４１，カバー筒４２からなる。
【００３４】
雌側の接続半部４のモールド部４１は、防水性を有する可塑材料（例えば、クロロプレンゴム）がモールドされて固化されたもので、雌型接続具３のテーパ筒部３１，直筒部３２から水中ケーブルＣの露出された電線Ｃｃ，Ｃｄ，内皮Ｃａ，Ｃｂと外皮Ｃｅ一部とまでを弾性を有して覆っている。モールド部４１の水中ケーブルＣへのモールドの端部は、水中での抵抗を減少させるテーパ形に形成されている。モールド部４１には、雄側の接続半部２のネジ筒２２の差込空間２２ｃに差込み嵌合される嵌合部４１ａに続いて、雄側の接続半部２のネジ筒２２の段部２２ｅに係止する前側段部４１ｂと、締付具５が係止する後側段部４１ｃとが設けられている。前側段部４１ｂから後側段部４１ｃに至る中途部の外周面には、雄側の接続半部２のネジ筒２２の係合溝２２ｇに対応して軸方向へ延びた係合突起４１ｄが設けられている。
【００３５】
雌側の接続半部４のカバー筒４２は、硬質の耐腐食性のある材質（加工処理）からなるもの（例えば、真鍮にニッケルメッキを施したもの）で、段付きの円筒形に形成されモールド部４１の外周面に嵌合されて一体的に組付けられている。カバー筒４２の一方の端部は、モールド部４１の後側段部４１ｃから係合突起４１ｄ付近にまで達している。カバー筒４２の他方の端部は、モールド部４１のテーパ形となった部分付近まで達している。
【００３６】
締付具５は、硬質の耐腐食性のある材質（加工処理）からなるもの（例えば、真鍮にニッケルメッキを施したもの）で、雌側の接続半部４のカバー筒４２に圧入嵌合可能なリング形に形成されている。締付具５の他端側には、外周面に雄側の接続半部２のネジ筒２２の雌ネジ２２ｆに螺合する雄ネジ５１が設けられている。締付具５の一端側には、締付けのための工具等を掛けることのできるナット５２が設けられている。
【００３７】
この締付具５には、ナット５２にゴム材等からなるリングカップ形の締付具カバー７が被せられる。
【００３８】
この形態によると、図３に示すように、雄型接続具１，雄側の接続半部２と雌型接続具３，雌側の接続半部４とを差込み嵌合させた後、締付具５を締付けて連結することになる。
【００３９】
雄型接続具１，雄側の接続半部２と雌型接続具３，雌側の接続半部４とが差込み嵌合されると、雄型接続具１のピン部１１が雌型接続具３のテーパ筒部３１に案内されて円滑に雌型接続具３の直筒部３２に挿通嵌合されて確実に電気的な接続が実現される。そして、雄側の接続半部２のネジ筒２２の係合溝２２ｇと雌側の接続半部４のモールド部４１の係合突起４１ｄとが係合されて回止めのように機能し、雄型接続具１，雌型接続具３に接触不良を引起こすような回転，捻れの応力が掛かるのを防止する。
【００４０】
雄型接続具１，雄側の接続半部２と雌型接続具３，雌側の接続半部４との差込み嵌合の際には、雌型接続具３のテーパ筒部３１の先端部と雌側の接続半部４のモールド部４１の嵌合部４１ａの先端部とがシート材６を圧縮させるため、雄型接続具１，雌型接続具３の間に高度の防水性が確保される。また、締付具５の雄ネジ５１がネジ噛合の広い面積で雄側の接続半部２のネジ筒２２の雌ネジ２２ｆに螺合され、締付具５の全体が雌側の接続半部４のカバー筒４２に圧入嵌合されるため、雄側の接続半部２，雌側の接続半部４の間に高度の防水性が確保される。特に、弾性を有する雄側の接続半部２のモールド部２１と雌側の接続半部４のモールド部４１に対して、締付具５や雄側の接続半部２のネジ筒２２やの側の接続半部４のカバー筒４２が無用の変形，歪み等を発生させない硬質材とされ、締付具５の締付力が弾性によって減殺されないため、雄側の接続半部２と雌側の接続半部４とを緊密に連結することができる。なお、締付具５のナット５２と雄側の接続半部２のネジ筒２２との当接面を平坦に形成しメタルタッチさせることで、雄側の接続半部２，雌側の接続半部４の間の防水性をより高めることができる。
【００４１】
さらに、この形態では、雄型接続具１から水中ケーブルＣへの接続部分および雌型接続具３から水中ケーブルＣへの接続部分が精密に雄側の接続半部２のモールド部２１と雌側の接続半部４のモールド部４１とで覆われるため、雄側の接続半部２と水中ケーブルＣとの間および雌側の接続半部４と水中ケーブルＣとの防水性能が高くなる。
【００４２】
この形態を使用するには、例えば、図４に示すように、集魚灯等の端末機器Ｌの近くの水中ケーブルＣの中途部に設ける。この使用例によると、水中ケーブルＣに掛かる各種の応力を雄側の接続半部２のモールド部２１と雌側の接続半部４のモールド部４１との弾性で吸収することができるため、雄型接続具１，雌型接続具３の接続が確実に保持されるとともに、雄型接続具１，雌型接続具３と水中ケーブルＣとの接続部分が損傷することもない。特に、集魚灯等の端末機器Ｌ側に位置して水中ケーブルＣに各種の応力が掛かりやすい雄側の接続半部２の雄型接続具１と水中ケーブルＣとの接続部分がネジ筒２２の保護筒部２２ａで保護されているため、雄型接続具１と水中ケーブルＣとの接続部分の損傷が確実に防止される。
【００４３】
また、図５に示すように、雄側の接続半部２を集魚灯等の端末機器Ｌの内部に埋込み固定して使用することもできる。この使用例によると、雄側の接続半部２が集魚灯等の端末機器Ｌと一体化されるため、集魚灯等の端末機器Ｌ側の水中ケーブルＣの露出が避けられて損傷が低減される。また、この使用例を採る場合、雄側の接続半部２のモールド部２１を集魚灯等の端末機器Ｌの一部に一体的にモールドさせることで、雄側の接続半部２とモールド部２１を共有して集魚灯等の端末機器Ｌに完全に一体化させ、雄側の接続半部２と集魚灯等の端末機器Ｌとの固定強度を強固にすることができる。
【００４４】
以上、図示した形態の外に、雄側，雌側を逆の構成とすることも可能である。
【００４５】
さらに、雄型接続具１，雌型接続具３を挿通嵌合以外の接続構造とすることも可能である。
【００４６】
さらに、雄側の接続半部２と雌側の接続半部４との間の適当箇所にＯリング等のパッキンを介在させることも可能である。
【図面の簡単な説明】
【００４７】
【図１】本発明に係る水中ケーブル用コネクタを実施するための最良の離脱状態の断面図である。
【図２】図１の斜視図である。
【図３】図１の連結状態図である。
【図４】図３の使用状態の側面図である。
【図５】図４とは別の使用状態図である。
【符号の説明】
【００４８】
１            雄型接続具
２            雄側の接続半部
２１          モールド部
２２          ネジ筒
３            雌型接続具
４            雌側の接続半部
４１          モールド部
４２          カバー筒
５            締付具
Ｃ            水中ケーブル
【図１】
0005118433.tif 000002
【図２】
0005118433.tif 000003
【図３】
0005118433.tif 000004
【図４】
0005118433.tif 000005
【図５】
0005118433.tif 000006